(57)【要約】【課題】  足を使用してもリールの回転・停止操作を行なうことが可能なスロットマシンを提供する。【解決手段】  複数のリールが遊技者の手動式の操作手段によって任意に回転及び停止され、停止した各リールを結ぶ所定の当選ライン上のシンボルの組合せに応じてメダルが払い出されるスロットマシンにおいて、複数のリールを操作する手動式の操作手段（ＭＡＸ投入ボタン１０７，スタートボタン１０３，ストップボタン１０４）とともに、遊技者４０の足元に配設され、遊技者の足４２によってＭＡＸ投入操作とリール回転開始操作とリール回転停止操作を行なうことが可能な足踏み操作盤２０を備え、さらに、隣接する遊技者との間で足の接触，干渉等を防止する接触防止板７１を備えた構成としてある。【選択図】    図８
2005143638.tif 000002
【特許請求の範囲】
【請求項１】
複数のシンボルが表示された複数のリールが、遊技者のメダル投入操作とリール回転開始操作及びリール回転停止操作によって任意に回転及び停止され、すべてのリールが停止したときに、各リールを結ぶ所定の当選ライン上のシンボルが、所定の入賞組合せに配列されると、その組合せに応じたメダルが払い出されるスロットマシンにおいて、
メダル投入操作を行うメダル投入操作手段，リール回転開始操作を行うリール回転開始操作手段，リール回転停止操作を行うリール回転停止操作手段の、少なくともいずれか一の手段を備えた、遊技者が足動操作可能な足動式操作手段を備えたことを特徴とするスロットマシン。
【請求項２】
請求項１記載のスロットマシンにおいて、
前記足動式操作手段の近傍に、隣席の遊技者との接触を防止する接触防止手段を備えたことを特徴とするスロットマシン。
【請求項３】
請求項１又は請求項２記載のスロットマシンにおいて、
メダル投入操作を行うメダル投入操作手段，リール回転開始操作を行うリール回転開始操作手段，リール回転停止操作を行うリール回転停止操作手段の、少なくともいずれか一の手段を備えた、遊技者が手動操作可能な手動式操作手段を、前記足動式操作手段とともに備えたことを特徴とするスロットマシン。
【請求項４】
請求項３記載のスロットマシンにおいて、
前記手動式操作手段又は足動式操作手段のいずれか一方の使用を、選択可能にしたことを特徴とするスロットマシン。
【請求項５】
請求項３又は請求項４記載のスロットマシンにおいて、
前記足動式操作手段が、前記メダル投入操作手段及びリール回転開始操作手段を備え、
前記手動式操作手段が、前記リール回転停止操作手段を備えることを特徴とするスロットマシン。
【請求項６】
請求項１〜請求項４記載のスロットマシンにおいて、
前記足動式操作手段が、
前記メダル投入操作手段とリール回転開始操作手段が、遊技者の一方の足で操作可能な位置に配設され、前記リール回転停止操作手段が、遊技者の他方の足で操作可能な位置に配設されたことを特徴とするスロットマシン。
【請求項７】
請求項１〜請求項６記載のスロットマシンにおいて、
前記足動式操作手段が、
メダル投入操作手段，リール回転開始操作手段，リール回転停止操作手段のうち、複数の手段を備えるとともに、
これら複数の手段の配設方向に沿って移動可能な足載せ手段を備えることを特徴とするスロットマシン。
【請求項８】
請求項１〜請求項７記載のスロットマシンにおいて、
前記足動式操作手段が、メダル投入操作手段，リール回転開始操作手段，リール回転停止操作手段のうち、複数の手段を備える場合に、
いずれか一の手段が操作状態のときに、他の手段の操作を可能とする優先制御手段を備えることを特徴とするスロットマシン。
【請求項９】
請求項１〜請求項８記載のスロットマシンにおいて、
前記足動式操作手段から引き出されてスロットマシン本体に接続される制御用信号線が、当該スロットマシン本体から外部に露呈されないように配設されたことを特徴とするスロットマシン。
【発明の詳細な説明】
【技術分野】
【０００１】
本発明は、スロットマシンに関し、特に、手による操作だけでなく、遊技者が足を使用してもリールの回転・停止等の遊技操作を行なうことができるスロットマシンに関する。
【背景技術】
【０００２】
一般に、スロットマシンは、遊技者が遊技媒体となる遊技用メダルを投入してスタートレバーを押下することにより、所定の絵柄や文字等の図柄（シンボル）を表示した複数（通常３個）のリールが回転を開始し、任意のタイミングでストップボタンが押されることでリールが停止し、停止したリール上のシンボルの配列に応じて所定数のメダルが払い出される、という遊技機である。
【０００３】
図１１は、従来の一般的なスロットマシンの一例の正面図である。
同図に示すスロットマシン１００において、１０１は前面パネル、１０２は停止したシンボル配列により当りや外れを表示する表示窓である。表示窓１０２の内部にはリールユニット１２０が設置されている。
リールユニット１２０は、左リール１２１と、中央リール１２２と、右リール１２３の三つのリールを備えている。
１０３はリールの回転をスタートさせるスタートボタンである。
１０４はリールの回転をストップさせるストップボタンであり、左リールストップ用の左リールストップボタン１０４ａと、同様に中央リールストップボタン１０４ｂと、右リールストップボタン１０４ｃの三つのボタンを備えている。
【０００４】
１０５はメダル投入口であり、スロットマシン内にメダルを投入する受付口である。
１０６はメダルクレジット表示部で、メダル投入口１０５から投入されたメダルの貯留数（クレジット数）を表示するメダルクレジット表示部である。
１０７はＭＡＸ投入ボタンであり、貯留されたメダルを遊技に投入（ＢＥＴ）するためのメダル投入スイッチ（ＢＥＴスイッチ）であり、通常は一度に３個のメダルを投入（ＢＥＴ）できるようになっている。
１０８（１０８ａ，１０８ｂ）は効果音を発生するスピーカであり、１０９は入賞メダル払出し口、１１０は払出メダルの受け皿、また、１１１は大当たり中のゲーム状態を表示する状態表示部である。
【０００５】
以上のような構成からなるスロットマシン１００で遊技者が遊技をする場合には、まず、スロットマシン１００の投入口に遊技メダルを投入し、スタートレバー１０３を押下して横３列に配置された三つのリール１２０を回転させ、ストップボタン１０４ａ，１０４ｂ，１０４ｃを順次押して各リールを停止させる。
そして、停止された三つのリール１２０の外周面に表示されたシンボルの組合せに応じて、所定の遊技メダルが払い出させる。
【０００６】
ところで、従来のスロットマシンにおいては、メダルの投入やスタートボタン，ストップボタン等の遊技操作は、すべて遊技者の「手」のみで行なう「手動式」となっていた。図１１で示した従来のスロットマシン１００も、遊技者が手で遊技操作する「手動式」のスロットマシンである。
しかしながら、このような完全な「手動式」のスロットマシンでは、手の疲労等による遊技継続が困難な状況が発生した場合に対応できないという問題が生じていた。
【０００７】
一般に、スロットマシン遊技においては、遊技者が所有するメダルが無くなるまで継続的に行われるため、遊技時間が長時間に及ぶことが多く、手や腕に疲労を感じることがある。
また、遊技者が、手にケガなどをしているために、スロットマシンの遊技操作ができなくなる場合がある。
さらに、手の不自由な人が、スロットマシンの操作が可能になれば、新たな娯楽に挑戦することもできる。
【０００８】
このような場合に、「手」以外の操作によってもスロットマシン遊技が行えるようになれば、遊技者がより快適な遊技を楽しめるようになり、また、スロットマシン遊技をより広い対象に普及，拡大できるようになるが、現在までのところ、そのようなスロットマシンは実現されていない。
すなわち、従来のスロットマシンでは、遊技操作を「手」以外で行うことができず、遊技者の疲労やケガ等の問題に対応することは不可能であった。
【０００９】
ここで、スロットマシンではないが、パチンコ機において、パチンコ球の発射操作を足踏み式にした従来技術が提案されている（特許文献１参照。）。
この従来技術は、図１２に示すように、発射レール上のパチンコ球（図示省略）を発射させる発射手段２０１を備えたパチンコ機２００において、発射手段２０１を作動させる足踏み式のペダル２０２を設け、このペダル２０２を遊技者の足下に配置するというものであった。
このようなパチンコ機２００では、遊技者はパチンコ球の発射を足踏み動作によって行うことができ、手で行う球の発射レバーの操作を不要とすることが可能となった。
【００１０】
【特許文献１】特開平８−８９６２３号公報（第３−５頁、第２図）
【発明の開示】
【発明が解決しようとする課題】
【００１１】
しかしながら、以上のような従来技術は、パチンコ機における球の発射操作のみを足踏み式としたものに過ぎず、これをスロットマシンに適用することは不可能であった。
パチンコ機では、遊技者が行う操作はパチンコ球の発射操作のみであり、操作手段も、唯一、回転式の発射レバー（ノブ）が存在するのみである。ところが、スロットマシンの場合、操作手段は、スタートボタン，ストップボタン，左・中央・右の各リールストップボタン，メダルのＢＥＴスイッチ等、多数のボタンやレバーが存在する。
しかも、パチンコ機の場合、発射レバーは回転式のノブの角度操作であるのに対し、スロットマシンの場合は、ＯＮ・ＯＦＦ操作である。
【００１２】
このように、パチンコ機とスロットマシンでは、操作すべき操作手段の構造も数もまったく異なるものであり、パチンコ機のように単に一つの足踏みペダルを備えることで対応できるものではなかった。
すなわち、パチンコ機の場合には、一箇所の足踏み式の操作手段の押し込み量（一般的にはアナログ量）操作のみで対応できるのに対して、スロットマシンの場合には、複数箇所（例えば、五箇所以上）のＯＮ・ＯＦＦ操作が必要であり、しかも、それら複数の遊技操作を順次滑らかに行えるようにしなければならなかった。
【００１３】
また、ほぼ同時に行われた複数の操作については、各操作による信号を確実に検知する必要があり、足による操作の場合、例えば操作ボタン等が踏まれたままの状態になることにも対応する必要があった。
さらに、複数の操作を足で行う場合、足が左右に大きく移動する可能性があり、多数隣接して設置されるスロットマシンの遊技場では、隣接する遊技機や遊技者との干渉の問題もあった。
【００１４】
本発明は、以上のような従来の技術が有する問題を解決するために提案されたものであり、左右の足による複数のボタン操作やスイッチ操作を可能とし、同時にボタンの押下操作等を行っても確実な操作が可能となり、さらに、足を左右に移動させることによっても隣接する遊技者等と干渉することもない、足による快適な遊技操作が可能となるスロットマシンの提供を目的とする。
【課題を解決するための手段】
【００１５】
上記目的を達成するために本発明のスロットマシンは、請求項１に記載するように、複数のシンボルが表示された複数のリールが、遊技者のメダル投入操作とリール回転開始操作及びリール回転停止操作によって任意に回転及び停止され、すべてのリールが停止したときに、各リールを結ぶ所定の当選ライン上のシンボルが、所定の入賞組合せに配列されると、その組合せに応じたメダルが払い出されるスロットマシンにおいて、メダル投入操作を行うメダル投入操作手段，リール回転開始操作を行うリール回転開始操作手段，リール回転停止操作を行うリール回転停止操作手段の、少なくともいずれか一の手段を備えた、遊技者が足動操作可能な足動式操作手段を備える構成としてある。
【００１６】
具体的には、複数のシンボルが表示された複数のリールが横方向に配置され、該複数のリールが遊技者の手動式の操作手段によって任意に回転及び停止され、すべてのリールが停止したときに、各リールを結ぶ所定の当選ライン上のシンボルが、所定の入賞組合せに配列されると、その組合せに応じたメダルが払い出されるスロットマシンにおいて、複数のリール（図１，図２に示すリールユニット１２０）を操作する手動式操作手段（ＭＡＸ投入ボタン１０７とスタートボタン１０３とストップボタン１０４）は、ＭＡＸ投入操作とリール回転開始操作とリール回転停止操作とを行なうことが可能であるとともに、遊技者４０の足元に、ＭＡＸ投入操作とリール回転開始操作とリール回転停止操作を行なうことが可能な足動式操作手段（足踏み操作盤２０）を備えている。
【００１７】
このように、本発明に係るスロットマシンでは、従来から存在する手動式による操作手段とともに、本発明の新規の足動式による操作手段を備えた構成とすることができる。
これにより、スロットマシン遊技を、「手」による操作のみならず、「足」による操作で行うことができ、例えば、長時間の遊技で遊技者の腕が疲れた場合や、遊技者が手先にケガをしているような場合に、「手」による遊技操作に代えて、あるいは、「手」による遊技操作とともに、「足」による遊技操作を可能とし、より快適なスロットマシン遊技を継続的に行うことができる。
【００１８】
また、本発明のスロットマシンでは、請求項２に記載するように、前記足動式操作手段（足踏み操作盤２０）の近傍に、隣席の遊技者との接触を防止する接触防止手段（接触防止板７１，７２）を備える構成とすることができる。
【００１９】
以上の構成を図示すると、例えば、図８（Ａ），（Ｂ）に示すようになる。
このようにすれば、遊技者４０が足４２を移動させて各種ボタン（ＭＡＸ投入ボタン２１等）を操作しても、接触防止手段により足・膝の移動量が制限されるので、隣席の遊技者に足・膝が接触することが無く、隣席の遊技者との間のトラブルを防止できる。
【００２０】
また、本発明のスロットマシンは、請求項３に記載するように、メダル投入操作を行うメダル投入操作手段，リール回転開始操作を行うリール回転開始操作手段，リール回転停止操作を行うリール回転停止操作手段の、少なくともいずれか一の手段を備えた、遊技者が手動操作可能な手動式操作手段を、前記足動式操作手段とともに備える構成とすることができる。
【００２１】
すなわち、本発明では、手動式操作手段と足動式操作手段とを、併用可能（図３の回転接点６６ａの設定位置が「上位」）に構成することができる。
このようにすれば、５連ロータリスイッチ６６の回転接点６６ａの設定位置を「上位」（実線の位置）にすると、ＭＡＸ投入ボタンが手動式１０７および足動式２１の何れの場合でも使用可能となる。すなわち、手動式と足動式とが、併用可能となる。従って、同一のスロットマシンに対し、遊技者自身が、その好みに応じて従来から存在する手動式、又は、本発明による新規な足動式を選択することができる。
【００２２】
また、本発明のスロットマシンは、請求項４に記載するように、手動式操作手段又は足動式操作手段のいずれか一方の使用を、選択可能にした構成とすることができる。
【００２３】
以上の構成を図示すると、例えば図３に示すようになる。
このようにすれば、５連ロータリスイッチ６６の回転接点６６ａの設定位置を「中位」（一点鎖線の位置）にすると、足動式の場合のみ、使用可能となる。
また、５連ロータリスイッチ６６の回転接点６６ａの設定位置を「下位」（二点鎖線の位置）にすると、手動式の場合のみ、使用可能となる。
このようにして、本発明では、パチスロホールの事情等に応じて、同一のスロットマシンを足動式の専用に設定したり、手動式の専用に設定することができる。
【００２４】
また、本発明のスロットマシンは、請求項５に記載するように、前記足動式操作手段は、前記メダル投入操作手段及びリール回転開始操作手段を備え、前記手動式操作手段は、前記リール回転停止操作手段を備えた構成とすることができる。
【００２５】
このような構成とすることにより、足動式操作手段では、メダル投入操作（ＭＡＸ投入操作）とリール回転開始操作とを行い、手動式操作手段では、リール回転停止操作を行なうことができるようになる。
以上の構成を図示すると、例えば図３に示すようになる。この構成において、第１のロータリスイッチ６６−１の回転接点６６ａの設定位置（ＭＡＸ投入操作）と、第２のロータリスイッチ６６−２の回転接点６６ａの設定位置（リール回転開始操作）とは、「中位」（一点鎖線の位置、足動式）に設定する。
【００２６】
そして、第３〜第５のロータリスイッチ６６−３〜６６−５の設定位置（リール回転停止操作、手動式）を「下位」（二点鎖線）に設定する。なお、この場合はロータリスイッチは５連ではなく、個別に「中位」や「下位」を設定可能にする必要がある。
このようにして、例えば、リール回転停止操作のみは手動式で操作することに慣れている遊技者が多いこと等を考慮して、遊技者の好みの傾向に合わせてパチスロホール側で手動式と足動式の設定を任意に行うことができる。
【００２７】
また、本発明のスロットマシンは、請求項６に記載するように、前記足動式操作手段が、前記メダル投入操作手段とリール回転開始操作手段が、遊技者の一方の足で操作可能な位置に配設され、前記リール回転停止操作手段が、遊技者の他方の足で操作可能な位置に配設された構成とすることができる。
【００２８】
このような構成とすることにより、例えば、メダル投入操作（ＭＡＸ投入操作）とリール回転開始操作とは左足で行い、リール回転停止操作は右足で行なうようにすることができる。
このようにすると、左足はＭＡＸ投入操作とリール回転開始操作を行い、右足はリール回転停止操作を行なうというように、左右の足の操作を分担できるようになるので、一方の足だけが疲労してしまうことがなくなる。
【００２９】
また、本発明のスロットマシンは、請求項７に記載するように、前記足動式操作手段が、メダル投入操作手段，リール回転開始操作手段，リール回転停止操作手段のうち、複数の手段を備えるとともに、これら複数の手段の配設方向に沿って移動可能な足載せ手段を備える構成とすることができる。
【００３０】
このような構成とすることにより、例えば、足動式操作手段が、横一列に配設されたメダル投入操作手段とリール回転開始操作手段及びリール回転停止操作手段を備える場合に、これら各手段の配設方向と平行にスライド移動する足載せ手段を備えることができる。
このようにすると、足載せ手段に足を載せて移動させることで、各操作手段を順次操作することができ、容易かつ確実な遊技操作が行え、足の移動による疲労や隣席との干渉等も有効に防止することができる。
【００３１】
また、本発明のスロットマシンは、請求項８に記載するように、前記足動式操作手段が、メダル投入操作手段，リール回転開始操作手段，リール回転停止操作手段のうち、複数の手段を備える場合に、いずれか一の手段が操作状態のときに、他の手段の操作を可能とする優先制御手段を備える構成とすることができる。
【００３２】
具体的には、例えば、遊技の開始時又は遊技中に、左足及び／又は右足が足動式操作手段（足踏み操作盤２０）に載置されている場合であっても、前記左足及び／又は右足の載置状態が一旦解放されれば、前記ＭＡＸ投入操作とリール回転開始操作とリール回転停止操作とが選択的に有効になるように制御する構成（図４の足休め優先制御部６８）とすることができる。
【００３３】
以上のような足休め優先制御部６８の動作を図示すると、例えば、図５に示すようになる。
ここで、足休め優先制御部６８は、次の制御を行なう。
図５に示すように、遊技者の左足と右足の双方、又はいずれか一方の足が足踏み操作盤２０に載置され、載置された足は、各種ボタン（スタートボタン２２等）を押下（ОＮ）状態にしているものとする（ステップＳ１）。
この足の載置状態から遊技を開始する場合には（ステップＳ２：ＹＥＳ）、まず、押下状態の左足４２ａを一旦ボタンから外し（ステップＳ３）、左足４２ａで所望のボタンを選択的に操作する（ステップＳ４）。左足４２ａの操作が終了した場合には、左足４２ａを足踏み操作盤２０の上に載置したまま、右足４２ｂの操作に移行する。
【００３４】
この移行のためには、それまで右足４２ｂが足踏み操作盤２０に載置されていた場合には、右足４２ｂを一旦足踏み操作盤２０から外す（ステップＳ６）。そして、右足４２ｂを操作してストップボタンのいずれかを選択的にОＮにすると（ステップＳ７）、指定されたリールが停止し（ステップＳ８）、全てのリールが停止するまで右足４２ｂの操作を繰り返す（ステップＳ９）。
足休め優先制御部６８が、このような制御を行なうことにより、左右の足を足踏み操作盤２０に載せたままでも各種のボタン操作を実行することが可能となり、狭い足操作スペース１２を有効活用することができるようになる。
【００３５】
さらに、本発明のスロットマシンは、請求項９に記載するように、足動式操作手段から引き出されてスロットマシン本体に接続される制御用信号線が、当該スロットマシン本体から外部に露呈されないように配設された構成とすることができる。
【００３６】
このようにすれば、スロットマシン本体と足動式操作手段とをつなぐ制御用信号線が外部に露呈されないので、悪意の遊技者による不正操作等を確実に防止することができる。
ここで、足動式操作手段の制御用信号線を外部に露呈しないようにするには、例えば、足動式操作手段をスロットマシン本体と一体的に形成し、信号線をスロットマシン本体内部に配設することで実現でき、また、足動式操作手段とスロットマシン本体が離間して設置される場合には、信号線をスロットマシンが設置される床面に埋設することで実現できる。
【発明の効果】
【００３７】
本発明によれば、従来から存在する手動式によるボタン操作手段と、本発明の新規の足動式によるボタン操作手段とを備えた構成とすることができる。これにより、「手」による操作に加えて、又は「手」による操作に代えて、「足」による遊技操作が可能となる。
また、遊技者が足を移動させて各種ボタンを操作しても、接触防止手段により足・膝の移動量が制限されるので、隣席の遊技者に足・膝が接触することが無く、隣席の遊技者との間のトラブルを防止できる。
【００３８】
また、本発明における手動式と足動式の操作手段は併用可能であり、同一のスロットマシンに対し、例えば、遊技者の好み等に応じて、従来から存在する手動式を、あるいは、本発明による新規な足動式を選択することができる。
また、パチスロホールの事情等に応じて、同一のスロットマシンを足動式の専用に設定し、あるいは、手動式の専用に設定することもできる。例えば、リール回転停止の操作は手動式で操作することに慣れている遊技者が多い等の事情を考慮することにより、遊技者の好み等の傾向に合わせてパチスロホール側で手動式と足動式の設定を任意に行うことができる。
【００３９】
また、本発明の足動式操作手段では、左足はＭＡＸ投入操作とリール回転開始操作を行い、右足はリール回転停止操作を行なうというように、左右の足の操作を分担させることができるので、一方の足だけが疲労してしまうようなことも有効に防止することができる。
また、このように足動式操作手段を両足で操作可能に分散配置することで、狭い横幅のスロットマシンの空間を有効活用することができる。
さらに、制御用信号線は外部に露呈されないように構成することで、悪意の遊技者等による不正行為，不正操作も確実に防止することができる。
【発明を実施するための最良の形態】
【００４０】
以下、本発明に係るスロットマシンの好ましい実施形態について、図面を参照しつつ詳細に説明する。
以下に示す本発明の各実施形態のスロットマシンは、遊技者が対峙する足元に、従来からある「手動式」のスタートボタンやストップボタン等の機能に相当する「足動式（足踏み式）」のボタンを配置したものである。
また、遊技者が足で足動式ボタンを操作した場合に、隣席の遊技者と足が接触しないように、接触防止板を設けるようにしてある。
【００４１】
また、「手動式」と「足動式」の各ボタンは、パチスロホールの事情に応じて、手動式と足動式の併用設定、あるいは、それぞれの単独設定ができるようにしてある。
そして、足動式の各ボタンのタイプ（形態）を工夫し、遊技者の疲労や操作のし易さ等に配慮した構成としてある。
【００４２】
［第一実施形態］
まず、本発明のスロットマシンの第一実施形態について説明する。
図１は、本発明の第一実施形態のスロットマシンを示す側面図であり、図２は、同じく正面図である。
図３は、足動式ボタンと手動式ボタンの入力可能方式の組合せを選択する入力可能方式選択回路の回路図である。
図４は、狭いスペースで足休めを行なうための足休め操作方法の概念を説明する図であり、図５は、同じく足休め操作方法の各ステップを示すフローチャートである。
なお、以下の説明においては、既存のスロットマシン（図１１参照）と同様の部分については同一符号を付し、重複説明は省略する。
【００４３】
図１及び図２に示すように、本実施形態の足踏み兼用スロットマシンＦＳは、従来と同様の縦型のスロットマシン１００と、スロットマシン１００の載置台１０，足踏み操作盤２０，端子箱３０を備えている。
端子箱３０は、スロットマシン１００の筐体内部に配置されている。
なお、４０は遊技者、５０は遊技者が腰掛ける椅子である。
【００４４】
スロットマシン１００を載せる載置台１０の下方、具体的には、スロットマシン１００を操作する遊技者４０が椅子５０に腰掛けたときの足下部分に、足踏み操作盤２０が配置されている。この足踏み操作盤２０が本発明に係る足動式操作手段を構成している。
この足踏み操作盤２０は、図２に示すように、操作盤本体２０ａの上に、左から順にＭＡＸ投入ボタン２１と、スタートボタン２２と、ストップボタン２３が一列に配置されている。
ストップボタン２３は、左から順に、左リールストップボタン２３ａと、中央リールストップボタン２３ｂと、右リールストップボタン２３ｃが配置されてなる。
【００４５】
ここで、足踏み操作盤２０の各ボタンの配列順序は、手動式の各ボタンの配列順序とほぼ同様にしてあり、特に、ストップボタンの配列順（左から、左リール用と、中央リール用と、右リール用の順）は、全く同一となるようにしてある。このようにすることで、遊技者４０は、足踏み操作盤２０の各種ボタンを押下する際に、手動式のストップボタンと同様にして、押し間違えることがなくなる。
【００４６】
図３に本実施形態に係る入力可能方式選択回路６０を示す。
同図に示すように、入力可能方式選択回路６０は、５個の２入力ОＲ回路６１，６２，６３，６４，６５と、５連ロータリスイッチ６６と、各種入力ボタン２１，１０７，２２，１０３，２３ａ，１０４ａ，２３ｂ，１０４ａ，２３ｃ，１０４ｃと、３個のリール１２１，１２２，１２３とを備えている。
第１のＯＲ回路６１の入力端子には、足動式と手動式のＭＡＸ投入ボタン２１と１０７の一方の端子が、それぞれ接続されている。第１のＯＲ回路６１の出力側には、リールユニット１２０（左リール１２１，中央リール１２２，右リール１２３）が接続されている。
【００４７】
ここで、５連ロータリスイッチ６６を説明する。なお、５連ロータリスイッチ６６は、同一構成の第１〜第５のロータリスイッチ６６−１〜６６−５により構成されるので、第１のロータリスイッチ６６−１のみを説明し、第２のロータリスイッチ６６−２〜第５の６６−５の説明は、省略する。
【００４８】
第1のロータリスイッチ６６−１は、回転接点６６ａと、４個の固定接点６６ｂ〜６６ｅを備え、第１の固定接点６６ｂと第２の固定接点６６ｃとは、近接して配置され、回転接点６６ａの接片（一端）が第１の固定接点６６ｂと第２の固定接点６６ｃとに、同時接続が可能になっている。第３の固定接点６６ｄと第４の固定接点６６ｅとに対しては、回転接点６６ａの接片は、それぞれ単独でのみ、接続可能になっている。回転接点６６ａの他端は、電源電位Ｖｃｃに接続されている。
【００４９】
そして、前記ＭＡＸ投入ボタン２１の他方の端子が、第1のロータリスイッチ６６−１の第１の固定接点６６ｂと第３の固定接点６６ｄとに接続され、ＭＡＸ投入ボタン１０７の他方の端子が第２の固定接点６６ｃと第４の固定接点６６ｅとに接続されている。
この構成により、回転接点６６ａが上位（図の実線）にある場合には、足動式のＭＡＸ投入ボタン２１又は手動式のＭＡＸ投入ボタン１０７の何れが押下（ОＮ）されても、第１のＯＲ回路６１に電源電位Ｖccが供給され、第１のＯＲ回路６１から出力信号が供給される。
【００５０】
また、回転接点６６ａが中位（図の中央の一点鎖線）にある場合には、足動式のＭＡＸ投入ボタン２１が押下（ОＮ）された場合のみ、第１のＯＲ回路６１に電源電位Ｖccが供給され、第１のＯＲ回路６１から出力信号が供給される。すなわち、手動式のＭＡＸ投入ボタン１０７が押下されても、第１のＯＲ回路６１には電源電位Ｖccは供給されない。
さらに、回転接点６６ａが下位（図の下位の二点鎖線）にある場合には、手動式のＭＡＸ投入ボタン１０７が押下（ОＮ）された場合のみ、第１のＯＲ回路６１に電源電位Ｖccが供給され、第１のＯＲ回路６１から出力信号が供給される。すなわち、足動式のＭＡＸ投入ボタン２１が押下されても、第１のＯＲ回路６１には電源電位Ｖccは供給されない。
【００５１】
すなわち、第１のロータリスイッチ６６−１における、回転接点６６ａの回転位置の上位，中位，下位の設定により、足動式のＭＡＸ投入ボタン２１と手動式のＭＡＸ投入ボタン１０７の双方の押下、あるいは、いずれか一方のみの押下により、第１のＯＲ回路６１から出力信号が供給されるように設定することができる。
なお、この第1のロータリスイッチ６６−１の上位，中位，下位の設定は、例えば、パチスロホールの店員等が行なうことができる。
【００５２】
また、第２〜第５のロータリスイッチ６６−２〜６６−５も、第１のロータリスイッチ６６−１と同様の構成となっている。
すなわち、第２〜第５のロータリスイッチ６６−２〜６６−５についても、足動式のスタートボタン２２と手動式のスタートボタン１０３等の組合せのうち、回転接点６６ａを上位，中位，下位に設定することにより、足動式のスタートボタン２２と手動式のスタートボタン１０３等の双方の押下、あるいは、いずれか一方のみの押下により、第２のＯＲ回路６２等から出力信号が供給されるように設定できる。
そして、第２のロータリスイッチ６６−２以下の上位，中位，下位の設定も、例えばパチスロホールの店員等が行なうことができる。
【００５３】
第２のＯＲ回路６２の入力端子には足動式のスタートボタン２２と手動式のスタートボタン１０３の一方の端子が、それぞれ接続されている。足動式のスタートボタン２２と手動式のスタートボタン１０３の他方の端子は、前述と同様に第２のロータリスイッチ６６−２における、第１〜第４の固定接点６６ｂ〜６６ｅに接続されている。
第２のＯＲ回路６２の出力側には、リールユニット１２０が接続されている。
【００５４】
第３のＯＲ回路６３の入力端子には足動式の左リールストップボタン２３ａと手動式の左リールストップボタン１０４ａの一方の端子が、それぞれ接続されている。足動式の左リールストップボタン２３ａと手動式の左リールストップボタン１０４ａの他方の端子は、前述と同様に第３のロータリスイッチ６６−３における、第１〜第４の固定接点６６ｂ〜６６ｅに接続されている。
第３のＯＲ回路６３の出力側には、左リール１２１が接続されている。
【００５５】
第４のＯＲ回路６４の入力端子には足動式の中央リールストップボタン２３ｂと手動式の中央リールストップボタン１０４ｂの一方の端子が、それぞれ接続されている。足動式の中央リールストップボタン２３ｂと手動式の中央リールストップボタン１０４ｂの他方の端子は、前述と同様に第３のロータリスイッチ６６−４における、第１〜第４の固定接点６６ｂ〜６６ｅに接続されている。
第４のＯＲ回路６４の出力側には、中央リール１２２が接続されている。
【００５６】
第５のＯＲ回路６５の入力端子には足動式の右リールストップボタン２３ｃと手動式右リールストップボタン１０４ｃの一方の端子が、それぞれ接続されている。足動式の右リールストップボタン２３ｃと手動式の右リールストップボタン１０４ｃの他方の端子は、前述と同様に第５のロータリスイッチ６６−５における、第１〜第４の固定接点６６ｂ〜６６ｅに接続されている。
第５のＯＲ回路６５の出力側には、右リール１２３が接続されている。
【００５７】
そして、第１〜第５のＯＲ回路６１〜６５と、５連ロータリスイッチ６６とは、前記端子箱３０（図１参照）に内蔵され、足踏み操作盤２０から端子箱３０へは、リード線３１により接続されている。
足踏み操作盤２０（図１参照）は、仕切板１１（図１参照）に密着固定され、リード線３１は外部に露呈しないようにされている。
このように構成することにより、リード線３１が外部に露呈されることがなくなり、例えば、不正操作の対象にされることを有効に防止することができる。
【００５８】
次に、以上のような構成からなる本実施形態のスロットマシンの動作を説明する。
[動作例１]
動作例１は、５連ロータリスイッチ６６の５個の回転接点６６ａの全てが、「中位」に予め設定されている場合である。すなわち、足踏み操作盤２０を使用しての足による押下操作のみが、有効になる場合である。
遊技者４０は、メダル投入口１０５に遊技メダル（図示省略）を投入し、左足４２ａで、例えば、ＭＡＸ投入ボタン２１を押下（ОＮ）すると、第１のＯＲ回路６１から出力信号が発せられ、リールユニット１２０の各リールが回転可能状態になる。
【００５９】
そして、左足４２ａでスタートボタン２２を押下（ОＮ）すると、第２のＯＲ回路６２から出力信号が発せられ、横３列に配置された各リール１２１，１２２，１２３が回転を開始する。
この状態で、右足４２ｂでストップボタン２３ａ，２３ｂ，２３ｃを順次押下（ОＮ）すると、第３のＯＲ回路６３，第４のＯＲ回路６４，第５のＯＲ回路６５からそれぞれ出力信号が発せられ、各リール１２１，１２２，１２３が順次停止される。停止後のリールの外周面に表示されたシンボルの組合せに応じて、所定の遊技メダルが賞出される。
【００６０】
[動作例２]
動作例２は、５連ロータリスイッチ６６の回転接点６６ａが、「上位」に予め設定されている場合である。すなわち、足動式と手動式の双方が、有効になる場合である。
例えば、足動式のＭＡＸ投入ボタン２１とスタートボタン２２は、左足４２ａで操作し、手動式の各種ストップボタン１０４ａ，１０４ｂ，１０４ｃは、遊技者４０の手４１で操作することが可能である。
一般に、各種ストップボタン１０４ａ，１０４ｂ，１０４ｃの操作は、遊技者４０がリール表面を見つめながら行い、手動式に慣れている遊技者が多いと、考えられるからである。
【００６１】
［動作例３］
動作例３は、５連ロータリスイッチ６６の回転接点６６ａが、「下位」に予め設定されている場合である。すなわち、手動式のみが、有効になる場合である。
本動作例の場合は、既存のスロットマシン（図１１参照）のボタン操作（手動式）と同一操作となる。
【００６２】
［動作例４］
動作例４では、足休め操作方法について、図４及び図５を参照しつつ説明する。
図４に示すように、足動式・手動式併用の５連ロータリスイッチ６６の設定６７ａ（図３の回転接点６６ａの設定が実線位置）、又は足動式の単独設定６７ｂ（一点鎖線位置）がなされた場合に、（ＯＲ回路６７ｃで機能を表すように）足休め優先制御部６８が動作可能となる。
遊技中の遊技者４０は、足４２を下げたままの状態で休息状態（足でボタンを操作しない状態）となる。しかし、足操作スペース１２が狭いので、足踏み操作盤２０の上に足４２を載せたままで休息状態となってしまう場合がある。
そこで、足休め操作方法は、このように足を足踏み操作盤２０の上に載せたままの場合でも、足動式の操作を可能とするものである。
【００６３】
従来の手動式の場合は、あるボタン（例えば、スタートボタン）を「ОＮ」したままの状態で、別のボタン（例えば、左リールストップボタン）を「ОＮ」しても、その別のボタンの「ОＮ」は、無視されるようになっている（「ОＮ」した効果を発揮しない）。
本実施形態の足踏み操作盤２０では、あるボタン（例えば、スタートボタン）が踏まれたままの状態（「ОＮ」したままの状態）であっても、別のボタン（例えば、左リールストップボタン）が踏まれると、その踏まれた別のボタンが「ОＮ」となるようになっている（「ОＮ」した効果を発揮する）。
【００６４】
以下、足休め優先制御部６８の動作を、図５を参照しつつ説明する。
図５に示すように、遊技者の左足と右足の双方、又はいずれか一方の足が足踏み操作盤２０に載置され、載置された足は、各種ボタン（スタートボタン２２等）を押下（ОＮ）状態にしているものとする（ステップＳ１）。
この足の載置状態から遊技を開始する場合には（ステップＳ２：ＹＥＳ）、まず、押下状態の左足４２ａを一旦ボタンから外し（ОＦＦにし）（ステップＳ３）、左足４２ａで所望のボタンを選択的に操作する（ОＮにする）（ステップＳ４）。
【００６５】
左足４２ａの操作が終了した場合には、左足４２ａを足踏み操作盤２０の上に載置したまま（ボタンをОＮにしたまま）、右足４２ｂの操作に移行する。
この移行のためには、それまで右足４２ｂが足踏み操作盤２０に載置されて（ボタンОＮ）いた場合には、右足４２ｂを一旦足踏み操作盤２０から外す（ボタンОＦＦ）（ステップＳ６）。
そして、右足４２ｂを操作してストップボタンを選択的にОＮにすると（ステップＳ７）、指定されたリールが停止し（ステップＳ８）、全てのリールが停止するまで右足４２ｂの操作を繰り返す（ステップＳ９）。
【００６６】
このように、足踏み操作盤２０では、あるボタン（例えば、スタートボタン）が右足又は左足で踏まれたままの状態（「ОＮ」したままの状態）で、別のボタン（例えば、左リールストップボタン）が左足又は右足で踏まれると、新たに踏まれたボタンを「ОＮ」となる。
足休め優先制御部６８が、このような制御（処理）を行なうことにより、左右の足を足踏み操作盤２０に載せたままでも各種のボタン操作を実行することが可能となる。これによって、必ずしも広いとは言えないスロットマシンの足操作スペース１２（図６参照）を有効活用することができる。
なお、本動作例では、左足・右足の双方、又はいずれか一方が足踏み操作盤２０に載せられた場合を説明したが、双方の足を足踏み操作盤２０に載せていない状態から遊技を開始する場合は、図５に示したフローチャート図からステップＳ１，ステップＳ３，ステップＳ６を省略した場合の動作となる。
【００６７】
［足動式ボタン部の変形例］
足踏み操作盤２０は、各種足動式ボタンを、遊技者４０から見て単純に横一列に配列することもできるが、これを遊技者４０がボタン操作し易いように、工夫した配列とすることができる。
図６は、足動式ボタンの操作盤の変形例を示す図であって、（ａ）は扇型操作盤、（ｂ）は左右の足専用に二つに分割した分割型操作盤、（ｃ）は足動式ボタンを直線状に配置し、足載せスライダを設けた足載せスライダ型操作盤、（ｄ）はリールストップボタンを削除し、スタート機能のみにした小型のスタート操作盤である。
【００６８】
図６（ａ）に示すように、扇型操作盤２４は、操作盤本体２４ａが扇型に形成されていて、ほぼ中央部に形成された足休め部２４ｂの左側にＭＡＸ投入ボタン２１とスタートボタン２２が配置され、足休め部２４ｂの右側に、順に左リールストップボタン２３ａと中央リールストップボタン２３ｂと右リールストップボタン２３ｃとが配置されている。
この扇型操作盤２４は、仕切板１１に密着固定され、扇型操作盤２４のほぼ中央部側面から引き出されたリード線３１は、仕切板１１に形成された挿通孔１１ａを介して、前記端子箱３０に接続されている。
【００６９】
このような構成にすれば、遊技者４０が、操作馴れした左右いずれかの足によりボタン操作を行なうことが可能となる。
また、例えば、左足４２ａばかり使用していて疲労した場合には、右足４２ｂに切替えて、ボタン操作を行なうことも可能である。
さらに、操作盤本体を扇型に形成したので、踵を中心とする円運動により、各種ボタンのＯＮ・ＯＦＦ操作を行なうことが可能となり、足の運動量が少なくなる。
【００７０】
図６（ｂ）に示すように、分割型操作盤２５は、左操作盤２５ａと、右操作盤２５ｂとを備えてなる。
左操作盤２５ａは扇型に形成され、左から順にＭＡＸ投入ボタン２１とスタートボタン２２とが配置されている。
右操作盤２５ｂも扇型に形成され、左から順に左リールストップボタン２３ａと中央リールストップボタン２３ｂと右リールストップボタン２３ｃとが配置されている。
【００７１】
左操作盤２５ａと右操作盤２５ｂとは、それぞれ仕切板１１に密着固定され、それぞれのリード線３１ａ，３１ｂは、仕切板１１に形成された挿通孔１１ａを介して端子箱３０に接続されている。
このような構成にすれば、左足４２ａと右足４２ｂが操作するボタンを分担できるので、一方の足に疲労が蓄積するのを、防止できる。
【００７２】
図６（ｃ）に示すように、足載せスライダ型操作盤２６は、操作盤本体２６ａとスライダ２６ｂとガイドレール２６ｃとを備えてなる。
操作盤本体２６ａは、横長であり、左から順にＭＡＸ投入ボタン２１とスタートボタン２２が配置され、ほぼ中央部に形成された足休め部２６ｄの右側には順に、左リールストップボタン２３ａと中央リールストップボタン２３ｂと右リールストップボタン２３ｃとが配置されている。
操作盤本体２６ａの手前側側面には、断面形状がＵ字状のガイドレール２６ｃが固定されている。
【００７３】
足４２を載せるスライダ２６ｂの先端側側面には、ガイドレール２６ｃに係合する係合部材２６ｅが突設されている。スライダ２６ｂの裏面側には、図示省略のキャスター等の回転手段が取り付けられている。
２６ｆはストッパで、係合部材２６ｅを左右に移動（スライド）させた場合に、ガイドレール２６ｃから係合部材２６ｅが脱落するのを防止する。
また、操作盤本体２６ａは、仕切板１１に密着固定され、リード線３１は、仕切板１１に形成された挿通孔１１ａを介して端子箱３０に接続されている。
このようにすれば、左右の足のいずれかで操作することが可能なので、扇型操作盤２４の場合と同様の効果を得ることができる。特に、スライダ２６ｂに足を載せて移動させることで、各操作手段を順次操作することができ、容易かつ確実な遊技操作が行え、足の移動による疲労や隣席との干渉等も有効に防止することができる。
【００７４】
図６（ｄ）に示すように、スタート操作盤２７は、小型の操作盤本体２７ａに、ＭＡＸ投入ボタン２１とスタートボタン２２の二個だけが搭載されている。
そして、左足４２ａ又は右足４２ｂにより、前記ボタン２１，２２を操作する。また、操作盤本体２７ａは、仕切板１１に密着固定され、リード線３１は、仕切板１１に形成された挿通孔１１ａを介して端子箱３０に接続されている。
このようにＭＡＸ投入ボタン２１とスタートボタン２２の二個のみを搭載した理由は、遊技者によっては、ストップボタンだけは手動式に限るという場合があるからである。
【００７５】
以上説明したように、本実施形態に係るスロットマシンによれば、ＭＡＸ投入ボタン２１やスタートボタン，ストップボタン２３を備えた足踏み操作盤２０を備えることにより、スロットマシン１００の遊技を、「手」による操作のみならず、「足」による操作で行うことができる。
これによって、本実施形態では、例えば、長時間の遊技で遊技者の腕が疲れた場合や、遊技者が手先にケガをしているような場合に、「手」による遊技操作に代えて、あるいは、「手」による遊技操作とともに、「足」による遊技操作を可能とし、より快適なスロットマシン遊技を続行することができる、従来には存在しない魅力的なスロットマシンを実現することができる。
【００７６】
［第二実施形態］
次に、本発明に係るスロットマシンの第二実施形態について、図７〜図９を参照して説明する。
これらの図に示すように、本実施形態のスロットマシンは、上述した第一実施形態の変更実施形態であり、足動式操作手段（足踏み操作盤２０）の近傍に、隣席の遊技者との接触を防止するための接触防止手段を備えたことを特徴とするものである。そして、接触防止手段を除く他の構成要素については、第一実施形態のスロットマシンと同様となっている。
従って、同様の構成部分については同一の符号を付し、詳細な説明は省略する。
【００７７】
一般に、パチスロホールでは、図７に示すように、複数のスロットマシン１００がほぼ密着状態で横に連設されている。そして、スロットマシン１００の横幅は通常約５０ｃｍ程度であり、遊技者が成人男性の場合、肩幅は約４５ｃｍ程度である。
従って、この場合、図７に示す遊技者４０Ａと遊技者４０Ｂとの肩の間隔は、約５ｃｍ程度の狭い範囲で密着することになる。
【００７８】
このような密着した空間において、本発明に係る足踏み操作盤２０の操作を行った場合、各遊技者が足を左右に動かすことで、隣接する他の遊技者や遊技機に足や膝などが当たるおそれがある。足が他者に当たることは、パチスロホールに限らず好ましいことではないが、特に、パチスロホールでは、ゲームの勝ち負けとも関連して、無用のトラブルが発生する可能性がある。
例えば、図７において、ゲームに負け続けている遊技者４０Ｂがいる場合に、隣席で足踏み操作盤２０を操作する遊技者４０Ａのつま先が遊技者４０Ｂの足に当たったとする。遊技者４０Ｂは、ゲームの負け自体でイライラしている上に、隣席の遊技者４０Ａの足がぶつかったり、接触したりすれば、遊技者４０Ａと４０Ｂとの間でトラブル（口論，喧嘩等）が発生するおそれがある。
本実施形態のスロットマシンによれば、このような無用のトラブル発生を有効に防止できるものである。
【００７９】
具体的には、本実施形態では、図８に示すような構成となっている。
図８は、本実施形態に係るスロットマシンを示しており、(Ａ)はスロットマシン１００の正面図、(Ｂ)は同じく側面図である。
この図８(Ａ)，(Ｂ)に示すように、本実施形態では、載置台１０の下面と床との間の左右に、２枚の接触防止板７１ａ，７１ｂを設けてある。
なお、隣接するスロットマシン間では、接触防止板７１はいずれか一方のスロットマシンに備えられていれば、二台のスロットマシン間で一枚の接触防止板７１を共用することができる（図７参照）。従って、そのような場合にはもう一方のスロットマシン側の接触防止板７１は省略することができる。また、隣接するスロットマシンが存在しない場合には接触防止板７１は省略できることは言うまでもない。例えば、二以上隣接する最端のスロットマシンについては、接触防止板７１は左右いずれか一方のみに設ければ良く、端部側の接触防止板は省略でき（図７参照）、また、一台単独で設置されるスロットマシンについては、接触防止板自体を設ける必要がない。
【００８０】
接触防止板７１ａ，７１ｂの横幅は、例えば１０ｃｍ程度にしておき、材質としては、例えば透明なアクリル板を使用する。
１２は、遊技者の足・膝が左右に移動することが可能な足操作スペースである。
なお、接触防止板７１ａ，７１ｂの横幅を約１０ｃｍと比較的狭く設定したのは、これを余り広くすると、遊技者４０の着席や離席の際に邪魔になり、また、足踏み式の場合は、遊技者４０が動かすのは爪先の場合が多く、膝全体を動かすことはほとんどなく、隣席との干渉は発生しにくいと考えられるからである。
【００８１】
［接触防止板の変形例］
接触防止板の変形例を図９に示す。
図９は、接触防止板の変形例を備えたスロットマシンを示しており、（Ａ）は正面図、（Ｂ）は側面図である。
この図９（Ａ），（Ｂ）に示す変形例では、接触防止板７２ａ，７２ｂは、略正方形をして縦横がそれぞれ１５ｃｍ程度であり、左上上隅の角が切り落としてある。
このような構成にすれば、接触防止板７２ａ，７２ｂの材料が少なくなる、というメリットがある。
【００８２】
以上のように、本実施形態に係るスロットマシンによれば、足踏み操作盤２０の両端側を覆う接触防止板７１，７２を備えることにより、遊技者４０が足４２を移動させて各種ボタン（ＭＡＸ投入ボタン２１等）を操作しても、接触防止板により足・膝の移動量が制限されることになる。
これにより、本発明に係る足踏み操作盤２０を設けることによっても、隣席の遊技者間で足・膝等が接触することがなくなり、遊技者間の無用のトラブルを確実に防止して、より快適なスロットマシン遊技を提供することができる。
【００８３】
［第三実施形態］
さらに、図１０を参照して、本発明に係るスロットマシンの第三実施形態について説明する。
図１０は、本発明に係るスロットマシンの第三実施形態を示す図であり、（Ａ）は正面図、（Ｂ）は側面図である。
この図１０（Ａ），（Ｂ）に示すように、本実施形態では、本発明の足踏み操作盤２０を備えるスロットマシンとして、テーブル型のスロットマシン１００Ａを採用している。本実施形態のテーブル型のスロットマシン１００Ａは、各種ボタンが、ピアノの鍵盤のように突き出した手操作盤１３０の上などに、ほぼ水平に配列されている。手操作盤１３０の下方は、空間となっていて、遊技者４０の膝４３がいれられるようになっている。
【００８４】
遊技者４０の手前側からレザークッション１３１，スタートボタン１３２，ストップボタン１３３，メダル受け皿１３４，メダル投入口１３５が順次配列され、リールユニット１２０は遊技者４０から見て、見下ろす位置に配置されている。このテーブル型のスロットマシン１００Ａは、遊技中の遊技者４０が、手４１や肘をレザークッション１３１の上に載せてボタン操作をできるので、手４１等の疲労が少ないという特徴がある。
【００８５】
本実施形態は、このような特徴を持つテーブル型のスロットマシン１００Ａに、足踏み操作盤２０を取り付けた場合である。足踏み操作盤２０はスロットマシン１００Ａに固定され、リード線３１が外部に露呈せずに端子箱３０に接続されているのは、前記実施形態１の場合と同様である。
また、手操作盤１３０の下方の空間部には、長い接触防止板７３（又は短い接触防止板７４）が取り付けられるようになっている。なお、図１０（Ａ），（Ｂ）では、説明の便宜上、長い接触防止板７３と短い接触防止板７４の双方を図示しているが、実際には、いずれか一方のタイプの接触防止板を設ければ良い。
このように、本発明に係る足動式操作手段（足踏み操作盤２０）を備えたスロットマシンは、スロットマシン本体の構成，形態に限定されることなく、あらゆるスロットマシンに対して適用することができるものである。
【００８６】
以上、本発明のスロットマシンについて、好ましい実施形態を示して説明したが、本発明に係るスロットマシンは、上述した実施形態にのみ限定されるものではなく、本発明の範囲で種々の変更実施が可能であることは言うまでもない。
例えば、上述した実施形態では、「手動式」のスタートボタンやストップボタンを備える通常のスロットマシンについて説明したが、これを、本発明に係る「足動式」のスタートボタンやストップボタンのみを備え、「手動式」のボタンやレバーをすべて省略することも可能である。
【産業上の利用可能性】
【００８７】
以上説明した本発明は、複数のシンボルが表示された複数のリールが、遊技者のメダル投入操作とリール回転開始操作及びリール回転停止操作によって任意に回転及び停止され、すべてのリールが停止したときに、各リールを結ぶ所定の当選ライン上のシンボルが、所定の入賞組合せに配列されると、その組合せに応じたメダルが払い出されるスロットマシンに適用することができる。
【図面の簡単な説明】
【００８８】
【図１】本発明の第一実施形態に係るスロットマシンを示す側面図である。
【図２】本発明の第一実施形態に係るスロットマシンを示す正面図である。
【図３】本発明の第一実施形態に係るスロットマシンにおける、足動式ボタンと手動式ボタンの入力可能方式の組合せを選択する入力可能方式選択回路の回路図である。
【図４】本発明の第一実施形態に係るスロットマシンにおける、狭いスペースで足休めを行なうための操作方法を説明する図であって、足休め操作制御の概念を説明する図である。（Ｂ）は足休め操作制御のフローチャート図である。
【図５】本発明の第一実施形態に係るスロットマシンにおける、狭いスペースで足休めを行なうための操作方法を説明する図であって、足休め操作制御のフローチャートである。
【図６】本発明の第一実施形態に係るスロットマシンにおける、足動式ボタンの操作盤の変形例を示す図であって、（ａ）は扇型操作盤、（ｂ）は左右の足専用に二つに分割した分割型操作盤、（ｃ）は足動式ボタンを直線状に配置し、足載せスライダを設けた足載せスライダ型操作盤、（ｄ）はリールストップボタンを削除し、スタート機能のみにした小型のスタート操作盤である。
【図７】パチスロホールにおける、遊技者同士が近接して遊技をしている状況を説明する図である。
【図８】本発明の第二実施形態に係るスロットマシンを示す図であって、(Ａ)はスロットマシンの正面図、(Ｂ)は同じく側面図である。
【図９】本発明の第二実施形態に係るスロットマシンの変形例を示す図であって、（Ａ）はスロットマシンの正面図、（Ｂ）は同じく側面図である。
【図１０】本発明の第三実施形態に係るスロットマシンを示す図であって、（Ａ）はスロットマシンの正面図、（Ｂ）は同じく側面図である。
【図１１】従来のスロットマシンを示す正面図である。
【図１２】足踏み式のペダルを備えた従来のパチンコ機を示す側面図である。
【符号の説明】
【００８９】
ＦＳ  足踏み兼用スロットマシン
ＦＳ１〜ＦＳ３  接触防止板付き足踏み兼用スロットマシン
１０  載置台
１１  仕切板
１２  足操作スペース
２０  足踏み操作盤
２１  ＭＡＸ投入ボタン
２２  スタートボタン
２３  ストップボタン
２４  扇型操作盤
２５  分割型操作盤
２６  足載せスライダ型操作盤
２７  スタート操作盤
３０  端子箱
６０  入力可能方式選択回路
６８  足休め優先制御部
７１，７２  接触防止板
【図１】
2005143638.tif 000003
【図２】
2005143638.tif 000004
【図３】
2005143638.tif 000005
【図４】
2005143638.tif 000006
【図５】
2005143638.tif 000007
【図６】
2005143638.tif 000008
【図７】
2005143638.tif 000009
【図８】
2005143638.tif 000010
【図９】
2005143638.tif 000011
【図１０】
2005143638.tif 000012
【図１１】
2005143638.tif 000013
【図１２】
2005143638.tif 000014